(57)【特許請求の範囲】
【請求項１】
ドアの開放時に該ドアの自由端を斜め上方へ回動すべくドアヒンジが傾斜配置されると共に、ドア開閉操作を補助する付勢式のバランサが設けられた自動車のドア支持構造であって、
上記ドアの開放時に当該ドアの自由端の軌跡が、上記ドアの全閉位置より最大開放位置側にある上死点から当該最大開放位置までの位置にて略水平乃至開方向に下降するよう、上記ドアヒンジのヒンジ軸を、車両正面視で上側が車幅方向内方に傾斜されると共に、車両側面視で上側が車両前方に傾斜され、
車両正面視における上記ヒンジ軸の車幅方向内方への内倒れ角度が５°〜１５°の範囲内とされ、車両側面視における上記ヒンジ軸の車両前方への前倒れ角度が５°〜１５°の範囲内とされたことを特徴とする
自動車のドア支持構造。
【請求項２】
上記ドアヒンジは、前記ドア全高の半分よりも上側の部分に取付けられ、
上記ドアの自由端の全閉位置から全開位置までの回動軌跡の中心となる回動中心が全閉位置より車幅方向外側に配置されている
請求項１に記載の自動車のドア支持構造。
【請求項３】
上記バランサはトーションバーで形成され、
該トーションバーは、上記ドアの自由端の軌跡における上死点で、捩り付勢力が作用しない中立位置となるよう構成された
請求項１または２に記載の自動車のドア支持構造。
【発明の詳細な説明】
【技術分野】
【０００１】
この発明は、ドアの開放時に該ドアの自由端を斜め上方へ回動すべくドアヒンジが傾斜配置されると共に、ドア開閉操作を補助する付勢式のバランサが設けられた自動車のドア支持構造に関する。
【背景技術】
【０００２】
従来、スポーツカー等の車高の低い車において、ドアの開放時に該ドアが縁石と干渉しないように、ドア開放時に該ドアの自由端を斜め上方へ回動すべくドアヒンジが傾斜配置されたものが知られている。  
この場合、ドア開閉操作を補助する目的で、付勢式のバランサが設けられるのが一般的であり、従来においてはバランサとしてガスダンパが用いられていた。
【０００３】
このガスダンパは、付勢範囲が広いという利点がある反面で、大掛かりで、かつ重量が大なうえ、高価となる問題点があった。一方で、バランサとして巻きバネを用いる場合には、ガスダンパと略同等の大きさになるうえ、巻きバネによる付勢範囲を広げることが難しいという問題点があった。  
このため、従来からドア開放時におけるドア自由端の上昇量（リフト量）の確保と、バランサの簡素化との両立が要請されている。
【０００４】
ところで、特許文献１には、車両のサイドドア構造において、フロントドア用のヒンジ軸を車両の正面から見た場合に、その上端部が車体の内方側に位置するようにヒンジ軸を傾斜させると共に、該ヒンジ軸を車両の側面から見た場合にその上端部が車体の前方側に位置するようにヒンジ軸を傾斜させたものが開示されている。
【０００５】
しかしながら、この特許文献１で開示された従来構造は、観音開き構造におけるフロントドアとリヤドアとの干渉を効果的に防止することができるという利点がある反面で、ドア自由端の回動軌跡とバランサの簡素化については考慮されておらず、改善の余地があった。
【先行技術文献】
【特許文献】
【０００６】
【特許文献１】特開２００４−１５５２７６号公報
【発明の概要】
【発明が解決しようとする課題】
【０００７】
そこで、この発明は、ドア開放時におけるドア自由端の上昇量（リフト量）を確保して、縁石との干渉を防止すると共に、バランサの簡素化を図ることができる自動車のドア支持構造の提供を目的とする。
【課題を解決するための手段】
【０００８】
この発明による自動車のドア支持構造は、ドアの開放時に該ドアの自由端を斜め上方へ回動すべくドアヒンジが傾斜配置されると共に、ドア開閉操作を補助する付勢式のバランサが設けられた自動車のドア支持構造であって、上記ドアの開放時に当該ドアの自由端の軌跡が、上記ドアの全閉位置より最大開放位置側にある上死点から当該最大開放位置までの位置にて略水平乃至開方向に下降するよう、上記ドアヒンジのヒンジ軸を、車両正面視で上側が車幅方向内方に傾斜されると共に、車両側面視で上側が車両前方に傾斜され、車両正面視における上記ヒンジ軸の車幅方向内方への内倒れ角度が５°〜１５°の範囲内とされ、車両側面視における上記ヒンジ軸の車両前方への前倒れ角度が５°〜１５°の範囲内とされたものである。
【０００９】
上記構成によれば、ヒンジ軸が車両正面視で車幅方向内方に傾斜（内倒れ）すると共に、車両側面視で車両前方に傾斜（前倒れ）しているので、ドア開放時におけるドア自由端の上昇量（リフト量）を確保して、縁石との干渉を防止することができる。  
しかも、上記ドアの開放時に、上記ドアの全閉位置より最大開放位置側にある上死点から当該最大開放位置までにて略水平乃至開方向に下降するので、ドアを開放操作する際の操作力が小さくなり、これにより上記バランサの簡素化を図ることができる。
【００１０】
ここで、上記ヒンジ軸の内倒れ構造は、特に、ドア開放時におけるドア自由端の上昇量（リフト量）確保に寄与し、上記ヒンジ軸の前倒れ構造は、特に、ドア自由端の軌跡が最大開放位置の前位置にて略水平乃至開方向に下降することに寄与する。
【００１１】
また、車両正面視における上記ヒンジ軸の車幅方向内方への内倒れ角度が５°〜１５°の範囲内とされ、車両側面視における上記ヒンジ軸の車両前方への前倒れ角度が５°〜１５°の範囲内とされたことによれば、ドア開放時におけるドア自由端の上昇と、ドアの開放操作性とを高次元でバランスさせることができる。ものである。
【００１２】
因に、内倒れ角度が５°未満の場合には、ドア開放時におけるドア自由端の充分な上昇量（リフト量）が確保できない。逆に、内倒れ角度が１５度を超過する場合には、ドア開放操作力が重くなり過ぎて、バランサが大型化するだけでなく、車室が狭くなる等の車体構造に悪影響を及ぼすものである。
【００１３】
一方で、前倒れ角度が５°未満の場合には、最大開放位置を充分に水平方向まで確保することが不可となる。逆に、前倒れ角度が１５度を超過する場合には、ドア回動スペースをフロントフェンダ側に設ける必要が生じ、スワンヒンジのように車体を避けるヒンジ構造が必要となり車体構造に悪影響を及ぼすのみならず、ドア開放時にその自由端が上昇することなく下降し始めることになる。  
このため、本実施形態では、内倒れ角度および前倒れ角度を上記範囲内として上述の諸種の問題点を回避し、ドア開放時におけるドア自由端の上昇と、ドアの開放操作性とを高次元でバランスさせたものである。
【００１４】
この発明の一実施態様においては、上記ドアヒンジは、前記ドア全高の半分よりも上側の部分に取付けられ、上記ドアの自由端の全閉位置から全開位置までの回動軌跡の中心となる回動中心が全閉位置より車幅方向外側に配置されたものである。  
上記構成によれば、ドア開放時におけるドア自由端の上昇量（リフト量）を確保して、縁石との干渉をより防止することができる。
【００１５】
この発明の一実施態様においては、上記バランサはトーションバーで形成され、該トーションバーは、上記ドアの自由端の軌跡における上死点で、捩り付勢力が作用しない中立位置となるよう構成されたものである。  
上記構成によれば、ドアの最大開放位置からの引込み（ドア閉成操作）時にも、トーションバーの捩り付勢力で補助（アシスト）することができる。
【発明の効果】
【００１６】
この発明によれば、ドア開放時におけるドア自由端の上昇量（リフト量）を確保して、縁石との干渉を防止すると共に、バランサの簡素化を図ることができる効果がある。
【図面の簡単な説明】
【００１７】
【図１】本発明の自動車のドア支持構造を示す外観側面図
【図２】ドア支持構造を車幅方向内側から見た状態で示す側面図
【図３】ドア支持構造を車両前方から見た状態で示す正面図
【図４】ドア側ヒンジ部材と車体側ヒンジ部材との組付け構造を示す斜視図
【図５】ドア側ヒンジ部材と車体側ヒンジ部材とを示す分解斜視図
【図６】車体側ブラケットの斜視図
【図７】（ａ）はトーションバー上端の連結部材とドア側ヒンジ部材の取付け部との嵌合構造を示す拡大断面図、（ｂ）は図７の（ａ）の平面視図
【図８】ドアを開放した状態で示す側面図
【図９】ドアを開放した状態で示す正面図
【図１０】ドアを開放した状態で示す平面図
【図１１】（ａ）はトーションバー上端の連結部材とドア側ヒンジ部材の取付け部との嵌合構造の他の実施例を示す断面図、（ｂ）は図１１の（ａ）の平面視図
【図１２】トーションバー上端の連結部材の他の実施例を示す拡大斜視図
【図１３】（ａ）はトーションバー上端の連結部材とドア側ヒンジ部材の取付け部との嵌合構造のさらに他の実施例を示す断面図、（ｂ）は図１３の（ａ）の平面視図、（ｃ）は図１３の（ａ）のＡ−Ａ線矢視断面図
【発明を実施するための形態】
【００１８】
ドア開放時におけるドア自由端の上昇量（リフト量）を確保して、縁石との干渉を防止すると共に、バランサの簡素化を図るという目的を、ドアの開放時に該ドアの自由端を斜め上方へ回動すべくドアヒンジが傾斜配置されると共に、ドア開閉操作を補助する付勢式のバランサが設けられた自動車のドア支持構造において、上記ドアの開放時に当該ドアの自由端の軌跡が最大開放位置の前位置にて略水平乃至開方向に下降するよう、上記ドアヒンジのヒンジ軸を、車両正面視で上側が車幅方向内方に傾斜されると共に、車両側面視で上側が車両前方に傾斜されるという構成にて実現した。
【実施例】
【００１９】
この発明の一実施例を以下図面に基づいて詳述する。  
図面は自動車のドア支持構造を示し、図１はその外観側面図、図２はドア支持構造を車幅方向の内側から見た状態で示す側面図、図３はドア支持構造を車両の前方から見た状態で示す正面図、図４はドア側ヒンジ部材と車体側ヒンジ部材との組付け構造を示す斜視図、図５はこれら各ヒンジ部材の分解斜視図、図６は車体側ブラケットの斜視図、図７の（ａ）はトーションバー上端の連結部材とドア側ヒンジ部材の取付け部との嵌合構造を示す拡大断面図、図７の（ｂ）は図７の（ａ）の平面視図、図８はドアを開放（ドア開度６０°）した状態で示す側面図、図９はドアを開放（ドア開度６０°）した状態で示す正面図、図１０はドアを開放（ドア開度６０°）した状態で示す平面図である。
【００２０】
まず、図１，図８，図９，図１０を参照して車体側の構造について説明する。  
車体の側部において車両の前後方向に延びる閉断面構造のサイドシル１を設け、このサイドシル１の前部には、図１０に示すように車両の上下方向に延びる閉断面構造のヒンジピラー２を立設固定している。
【００２１】
また、上述のヒンジピラー２の上端から車両の上方かつ後方に滑らかに湾曲傾斜して延びる閉断面構造のフロントピラー３を設け、このフロントピラー３の後端には、該フロントピラー３と連続して車両後方に延びる閉断面構造のルーフサイドレール４を設けている。
【００２２】
図８，図１０に示すように、上述のヒンジピラー２に対して車両後方に離間した位置において、上側のルーフサイドレール４と下側のサイドシル１とを上下方向に連結する閉断面構造のセンタピラー５を設け、上述のサイドシル１と、ヒンジピラー２と、フロントピラー３と、ルーフサイドレール４と、センタピラー５とで囲繞されたドア開口部６（図面では車両右側の前席乗員乗降用のドア開口部を示す）を形成している。
【００２３】
なお、図中、７はフロントフェンダ、８はエプロンパネルである。上述のヒンジピラー２は、その一部を図３に示すように、ヒンジピラーアウタパネル２ａと、ヒンジピラーレインフォースメント２ｂと、図示しないヒンジピラーインナパネルとを備え、車両の上下方向に延びるピラー閉断面をもった車体強度部材である。
【００２４】
次に、図１，図２，図３を参照してドア側の構造について説明する。  
上述のドア開口部６を開閉するサイドドアとしてのフロントドア１０（図面では車両右側のフロントドア１０を示すが、以下単にドアと略記する）は、図２に示すドアフレーム１１と、ドアフレーム１１の車幅方向外側に設けられた合成樹脂製のドアアウタパネル１２と、図示しないウインドレギュレータ装置により昇降可能に構成されたドアウインドガラス１３と、を備えている。
【００２５】
図２に示すドアフレーム１１は、ドア前辺部を構成する前側の縦枠部材１４と、ドア後辺部を構成する後側の縦枠部材（図示せず）と、前後の各縦枠部材の上端間を車両前後方向に連結するドアベルトライン構成部材１５と、前後の各縦枠部材の下端間を車両前後方向に連結する下部連結部材１６と、前後の各縦枠部材の上下方向中間において、前側が高く後側が低くなるように車両前後方向に傾斜配置されたインパクトバー１７と、を備えている。  
ここで、上述のドアベルトライン構成部材１５はドア上辺部を構成し、上述の下部連結部材１６はドア下辺部を構成し、上述のインパクトバー１７は側突荷重を受け止めるためのものである。
【００２６】
また、上述の前後の縦枠部材は、例えば、軽合金または軽金属の鋳造部材により形成されており、一方で、上述のドアベルトライン構成部材１５、下部連結部材１６、インパクトバー１７は、例えば、軽合金または軽金属の押出し成形部材により形成されている。
【００２７】
図２に示すように、前側の縦枠部材１４の前部には、後述するヒンジ軸Ｈと平行になるように車両側面視で上側が車両前方に傾斜させたヒンジ取付け面１４Ａが一体形成されている。
【００２８】
次に自動車のドア支持構造について詳述する。  
図２，図３に示すように、上述のドア１０は、ドア側ヒンジ部材１８および車体側ヒンジ部材１９を備えたドアヒンジ２０を介して車体側部材であるヒンジピラー２に開閉可能に支持されている。
【００２９】
この実施例では、図２，図３に示すように、ドア１０の開放時に該ドア１０の自由端、特に、ドア１０の自由端下部１０Ｂ（図１参照）を斜め上方へ回動すべく、上述のドアヒンジ２０が傾斜配置されると共に、ドア開閉操作を補助（アシスト）する付勢式のバランサ用のスプリングとしてのトーションバー３０が設けられている。
【００３０】
ここで、図４，図５を参照して、上述のドア１０を車体に支持するドア側ヒンジ部材１８および車体側ヒンジ部材１９の構造について説明する。  
図４，図５に示すように、ドア側ヒンジ部材１８は、上下の取付け座１８ａ，１８ｂと、これら上下の取付け座１８ａ，１８ｂを上下方向に連結する連結部１８ｃと、上側の取付け座１８ａの下端から車両前方に突出する突出部１８ｄと、下側の取付け座１８ｂの上端から車両前方に突出する突出部１８ｅと、連結部１８ｃの上下方向中間部から車両前方に突出するアーム部１８ｆと、このアーム部１８ｆの前端に設けられた枠部１８ｇ（トーションバー３０の上端を取付ける取付け部）と、が一体形成されたものである。
【００３１】
そして、上下の各突出部１８ｄ，１８ｅには、ボルト、ナットなどから成るヒンジピン２１（図２〜図４参照）を挿入するピン孔１８ｈを形成し、上側の取付け座１８ａには単一の取付け孔１８ｉを形成し、下側の取付け座１８ｂには複数の取付け孔１８ｊ，１８ｊを形成しており、これら上下の各取付け座１８ａ，１８ｂを、取付け孔１８ｉ，１８ｊ，１８ｊを用いて締結するボルト、ナット等の締結部材２２，２３により、縦枠部材１４のヒンジ取付け面１４Ａに締結固定している（図２，図３参照）。  
上述の枠部１８ｇは、ドア側ヒンジ部材１８を車体側ヒンジ部材１９に対して上方から組付けることを考慮して、上下の突出部１８ｄ，１８ｅの前端よりもさらに車両前方に突出するよう構成されている。
【００３２】
図４，図５に示すように、車体側ヒンジ部材１９は、上下の取付け座１９ａ，１９ｂと、これら上下の取付け座１９ａ，１９ｂを上下方向に連結する連結部１９ｃと、上側の取付け座１９ａの下端から車幅方向外方に突出する突出部１９ｄと、下側の取付け座１９ｂの上端から車幅方向外方に突出する突出部１９ｅと、が一体形成されたものである。
【００３３】
そして、上下の各突出部１９ｄ，１９ｅには、ボルト、ナットなどから成るヒンジピン２１（図２〜図４参照）を挿入するピン孔１９ｈを形成し、上側の取付け座１９ａには単一の取付け孔１９ｉを形成し、下側の取付け座１９ｂには複数の取付け孔１９ｊ，１９ｊを形成しており、図３に示すように、これら上下の各取付け座１９ａ，１９ｂを、取付け孔１９ｉ，１９ｊを用いて締結するボルト、ナット等の締結部材２４，２５により、ヒンジピラー２のヒンジピラーアウタパネル２ａおよびヒンジピラーレインフォースメント２ｂと共締め固定している。
【００３４】
上述のドア側ヒンジ部材１８と車体側ヒンジ部材１９とから成るドアヒンジ２０は、従来の比較的小形状の上下一対のドアヒンジと異なり、単一のドアヒンジ２０であって、この単一のドアヒンジ２０がドア１０全高の半分よりも上側の部分に対応して取付けられている。  
換言すれば、ドア側ヒンジ部材１８をドア本体の可及的上部に片寄せて取付けることで、ドア１０とヒンジピラー２との間の余剰スペースを利用して、比較的長尺のトーションバー３０の取付けスペースを確保したものである。
【００３５】
ところで、上述のトーションバー３０はドア開閉操作を補助するもので、図３に示すように、当該トーションバー３０は上下方向に延びるヒンジピラー２に沿って配設されており、該トーションバー３０の下部は、車体側ブラケット３１を用いて車体であるヒンジピラー２の下部に固定されている。
【００３６】
上述のトーションバー３０は、図２，図３に示すように、その主体部３０ａが略上下方向に延びており、主体部３０ａの上端には車幅方向内側に向けて一体に折曲げ形成された上端折曲げ部３０ｂが設けられると共に、図６に示すように、トーションバー３０の下部３０ｃの端部には車両前後方向前方に向けて一体に折曲げ形成された下端折曲げ部３０ｄが設けられている。
【００３７】
図６に示すように、上述の車体側ブラケット３１は、ヒンジピラー２の車幅方向外側の面に沿う取付け座３１ａと、この取付け座３１ａの後部から一旦、車幅方向外側に延びた後に、車幅方向内側に折返されてトーションバー３０の下部３０ｃを係止する係止部３１ｂと、取付け座３１ａの下端から車幅方向外方に延びる保持部３１ｃと、を一体形成したものである。
【００３８】
そして、上述の取付け座３１ａには、上下方向に離間した複数の取付け孔３１ｄ，３１ｄが設けられており、上述の係止部３１ｂにはトーションバー３０の下部３０ｃを係止する係止溝３１ｅが設けられており、上述の保持部３１ｃにはトーションバー３０の下端折曲げ部３０ｄを挿通保持する貫通構造の保持孔３１ｆが設けられている。
【００３９】
上述の車体側ブラケット３１は、図３に示すように、その取付け座３１ａがボルト、ナット等の締結部材（図示せず）を用いて、ヒンジピラー２におけるヒンジピラーアウタパネル２ａおよびヒンジピラーレインフォースメント２ｂと共締め固定されている。
【００４０】
下部３０ｃが係止部３１ｂで係止され、下端折曲げ部３０ｄが保持部３１ｃで保持されたトーションバー３０の下部は、上述の車体側ブラケット３１を介して車体であるヒンジピラー２に固定されている。
【００４１】
図３に示すように、上述のドア１０のヒンジ取付け面１４Ａには、車体側ヒンジ部材１９に対して上方から組付けられるドア側ヒンジ部材１８と、トーションバー３０の上端折曲げ部３０ｂに設けたトーションバー連結部材３２（以下単に連結部材３２と略記する）に、捩れ方向の回動が規制されるよう上方から連結されるトーションバー取付け部としての上述の枠部１８ｇと、が設けられている。
【００４２】
図３に示すように、トーションバー３０をヒンジピラー２に沿って配設することで、上下方向に長いヒンジピラー２に沿って比較的長尺のトーションバー３０をコンパクトにレイアウトし、また上述のドア側ヒンジ部材１８が車体側ヒンジ部材１９に対して、図５に示すように、上方から組付けられると共に、枠部１８ｇがトーションバー３０上部の連結部材３２に上方から連結されることで、車体に対するドア１０の組付け性を高めるよう構成しており、これにより、トーションバー３０の長さ確保と、組付け性の確保との両立を図って、従前のガスダンパを用いることなく、ドア１０の開閉を容易に行なうよう構成したものである。  
また、上述のトーションバー３０は、ドア１０の開閉操作を補助するものであり、このトーションバー３０の長さを確保することにより、トーションバー３０それ自体の応力降伏を防止すべく構成したものである。
【００４３】
さらに、図４，図５で示したように、トーションバー取付け部としての枠部１８ｇは、上述のドア側ヒンジ部材１８に一体形成されており、これにより、部品点数の削減を図ると共に、ドア１０側に枠部の補強が不要となり、ドア本体に対する応力を軽減するよう構成している。
【００４４】
ドア全閉状態で示す図１、並びに、ドア開度６０°で示す図８，図９，図１０に示すように、この実施例のドア１０は回動中心４０を中心とする全閉位置αＣから全開位置αＯまでの回動範囲（その回動軌跡α参照）を有している。そして、上述のトーションバー３０の中立位置は、ドア１０の全閉位置αＣから全開位置αＯまでの回動範囲内に設けられており、トーションバー３０の中立位置を利用してドア１０（ドア側ヒンジ部材１８、枠部１８ｇを含む）を上方から車体（ヒンジピラー２、トーションバー３０上部の連結部材３２を含む）に組付けるように成しており、これによりドア１０の組付け容易化を図るよう構成したものである。
【００４５】
図７に示すように、トーションバー３０の上端折曲げ部３０ｂに設けられた連結部材３２は、直方体により形成されると共に、この連結部材３２には上記上端折曲げ部３０ｂを嵌合する貫通構造の嵌合孔３２ａが形成されている。
【００４６】
この嵌合孔３２ａは、トーションバー３０の捩じれ軸Ｔ（図２，図３参照）と交差する方向にトーションバー３０の上端折曲げ部３０ｂを嵌合するもので、該嵌合孔３２ａは連結部材３２の中心（中心線ＣＬ参照）に対して偏心位置または傾斜する方向（図７の実施例では傾斜する方向）に設けられている。
【００４７】
上述の連結部材３２を直方体にて形成することで、連結部材３２が枠部１８ｇに対して複数の異なる角度で嵌合するよう構成されており、また、嵌合孔３２ａを上記中心線ＣＬに対して傾斜する方向に形成することで、連結部材３２と枠部１８ｇとの嵌合角度に対応して、トーションバー３０の捩じれ角が異なるよう構成したものである。これにより、連結部３２の枠部１８ｇに対する嵌合角度を変更することで、コンパクトな構成でありながら、容易にトーションバー３０の付勢力を調整するように形成している。
【００４８】
なお、上述の枠部１８ｇには、当該枠部１８ｇを上方から下方に移動させてトーションバー３０上端の連結部材３２を組付ける際、トーションバー３０上端のコーナ部と枠部１８ｇとの干渉を防止して、当該トーションバー３０の上端コーナ部を組付け可能と成す組付けスペース１８ｋが形成されている。
【００４９】
また、既述したように、連結部材３２がトーションバー３０の捩じれ軸Ｔと交差する方向の嵌合孔３２ａを有し、この嵌合孔３２ａが連結部材３２の中心線ＣＬに対して傾斜する方向に設けられていることで、連結部材３２を回動させて、該連結部材３２の枠部１８ｇとの嵌合角度を変更（図７に示す実施例では、嵌合角度を１８０°変更）することにより、トーションバー３０の付勢力を確実に調整するよう構成したものである。
【００５０】
さらに、この実施例では、連結部材３２を直方体にて形成することで、当該連結部材３２の枠部１８ｇに対する当接面３２ｂ，３２ｃを、長方形状に形成しており、これにより、トーションバー３０の捩じり荷重を、長方形状の当接面３２ｂ，３２ｃに対向する枠部１８ｇで受止め、これら両者３２，１８ｇの係合強度の向上を図るよう構成している。
【００５１】
しかも、この実施例では、ドア１０の開放時に当該ドア１０の自由端の回動軌跡α（図面では、ドア１０の自由端下部１０Ｂの回動軌跡を示す）が、図８，図９に示すように、最大開放位置（全開位置αＯ参照）の前位置にて略水平乃至開方向に下降するよう、ドアヒンジ２０のヒンジ軸Ｈを、垂直線ＶＥＲに対して車両正面視で上側が内倒れ角度θ１だけ車幅方向内方に傾斜（図３参照）されると共に、垂直線ＶＥＲに対して車両側面視で上側が前倒れ角度θ２だけ車両前方に傾斜（図２参照）されている。
【００５２】
図２，図３に示すように、上述のヒンジ軸Ｈが内倒れ角度θ１だけ内倒れすると共に、前倒れ角度θ２だけ前倒れすることで、ドア１０開放時におけるドア自由端の上昇量（リフト量）を確保して、縁石との干渉を防止すべく構成している。
【００５３】
さらに、ドア１０の開放時に当該ドア１０の自由端の回動軌跡αが最大開放位置である全開位置αＯの前位置にて略水平乃至開方向に下降することで、ドア１０を開放操作する際の操作力が小さくなり、これによりトーションバー３０の簡素化を図るよう構成したものである。
【００５４】
なお、上述のヒンジ軸Ｈの内倒れ構造は、特に、ドア１０開放時におけるドア自由端の上昇量（リフト量）確保に寄与し、ヒンジ軸Ｈの前倒れ構造は、特に、ドア自由端の回動軌跡αが最大開放位置（全開位置αＯ参照）の前位置に略水平乃至開方向に下降することに寄与するものである。
【００５５】
図３に示すように、上述の内倒れ角度θ１は５°〜１５°の範囲内、好ましくは１２°とされており、図２に示すように、上述の前倒れ角度θ２は５°〜１５°の範囲内、好ましくは１０°とされている。これにより、ドア開放時におけるドア自由端の上昇と、ドア１０の開放操作性とを高次元でバランスさせるよう構成している。
【００５６】
すなわち、内倒れ角度θ１が５°未満の場合には、ドア開放時におけるドア自由端の充分な上昇量（リフト量）が確保できない。逆に、内倒れ角度θ１が１５°を超過する場合には、ドア開放操作力が重くなり過ぎて、トーションバー３０が大型化するだけでなく、車室が狭くなる等の車体構造に悪影響を及ぼすものである。
【００５７】
一方、前倒れ角度θ２が５°未満の場合には、最大開放位置（全開位置αＯ）を充分に水平方向まで確保することが不可となる。逆に、前倒れ角度θ２が１５°を超過する場合には、ドア回動スペースをフロントフェンダ側に設ける必要が生じ、スワンヒンジのように車体を避けるヒンジ構造が必要となり、車体構造に悪影響を及ぼすのみならず、ドア開放時にその自由端が上昇することなく下降し始めることになる。  
このため、本実施例では、内倒れ角度θ１および前倒れ角度θ２を上記範囲内として上述の諸種の問題点を回避し、ドア開放時におけるドア自由端の上昇と、ドアの開放操作性とを高次元でバランスさせたものである。
【００５８】
また、上述のトーションバー３０は、ドア１０の自由端の回動軌跡α（図１，図８〜図１０参照）における上死点（ＴＤＣ）で、捩り付勢力が作用しない中立位置となるよう構成されており、これにより、ドア１０の最大開放位置（全開位置αＯ）からのドア引込み（ドア閉成操作）時においても、トーションバー３０の捩り付勢力でアシストするよう構成したものである。  
ここで、上述のドア１０を上方から車体に組付ける場合、ドア１０の上述の上死点ＴＤＣとトーションバー３０の中立位置とを符合させると、ドア１０の組付け性が良好となるものである。
【００５９】
次に、図１１，図１２，図１３を参照して、他の実施例について説明する。  
図１１の（ａ）はトーションバー３０上端の連結部材３２とドア側ヒンジ部材１８の枠部１８ｇとの嵌合構造の他の実施例を示す断面図、図１１の（ｂ）は図１１の（ａ）の平面視図である。  
図１１の（ａ）（ｂ）に示す構成は、図７の（ａ）（ｂ）で示した構造に加えて、組付けスペース１８ｋの車幅方向外側を補強部１８ｌで覆ったものである。
【００６０】
図１１に示すように構成しても、図７の実施例とほぼ同様の作用、効果を奏するので、図１１において、図７と同一の部分には、同一符号を付して、その詳しい説明を省略する。
【００６１】
図１２はトーションバー３０上端の連結部材３２の他の実施例を示す拡大斜視図である。  
この実施例においては、連結部材３２のトーションバー３０における上端折曲げ部３０ｂを嵌合する嵌合基端側の端面３２ｄにおいて、中心線ＣＬに対して車両前方にオフセット量ＯＳ１だけ偏心した位置で、かつ、中心線ＣＬに対して車両下方にオフセット量ＯＳ２だけ偏心した位置から上端折曲げ部３０ｂを嵌合すると共に、この上端折曲げ部３０ｂの中心線ＣＬ１を連結部材３２の中心線ＣＬに対して非平行と成したものである。
【００６２】
このように構成しても、連結部材３２を回動させて、当該連結部材３２の枠部１８ｇとの嵌合角度を変更することにより、トーションバー３０の付勢力を確実に調整することができるので、図１２において前図と同一の部分には、同一符号を付して、その詳しい説明を省略する。
【００６３】
図１３の（ａ）はトーションバー３０上端の連結部材３２とドア側ヒンジ部材１８の枠部１８ｇとの嵌合構造のさらに他の実施例を示す断面図、図１３の（ｂ）は図１３の（ａ）の平面視図、図１３の（ｃ）は図１３の（ａ）のＡ−Ａ線矢視断面図である。
【００６４】
図１３に示す実施例では、連結部材３２を立方体で構成すると共に、当該連結部材３２の中心線ＣＬに対して、トーションバー３０の上端折曲げ部３０ｂを、車両前方かつ車両下方にオフセットした偏心位置に嵌合し、さらに上記中心線ＣＬと上端折曲げ部３０ｂとを互いに平行と成したものである。
【００６５】
連結部材３２を立方体で構成したことにより、該連結部材３２には同形状かつ４つの当接面３２ｅ，３２ｆ，３２ｇ，３２ｈを形成しており、連結部材３２を回動させて、当該連結部材３２の枠部１８ｇとの嵌合角度を９０度毎に変更することで、トーションバー３０の付勢力を４通りに確実に調整することができる。
【００６６】
このように構成しても、その他の構成、作用、効果については先の各実施例（特に、図１１の実施例）とほぼ同様であるから、図１３において前図と同一の部分には、同一符号を付して、その詳しい説明を省略する。
【００６７】
なお、図中、矢印Ｆは車両前方を示し、矢印Ｒは車両後方を示し、矢印ＩＮは車幅方向の内方を示し、矢印ＯＵＴは車幅方向の外方を示し、矢印ＵＰは車両上方を示す。また、上記実施例においては、車両右側のドア支持構造について説明したが、車両左側のドア支持構造は右側のそれと左右対称または左右略対称に構成されている。
【００６８】
このように、上記実施例の自動車のドア支持構造は、ドア１０の開放時に該ドア１０の自由端を斜め上方へ回動すべくドアヒンジ２０が傾斜配置されると共に、ドア開閉操作を補助する付勢式のバランサ（トーションバー３０参照）が設けられた自動車のドア支持構造であって、上記ドア１０の開放時に当該ドア１０の自由端の軌跡（回動軌跡α参照）が最大開放位置（全開位置αＯ参照）の前位置にて略水平乃至開方向に下降するよう、上記ドアヒンジ２０のヒンジ軸Ｈを、車両正面視で上側が車幅方向内方に傾斜（内倒れ角度θ１参照）されると共に、車両側面視で上側が車両前方に傾斜（前倒れ角度θ２参照）されたものである（図２，図３，図８参照）。
【００６９】
この構成によれば、ヒンジ軸Ｈが車両正面視で車幅方向内方に傾斜（内倒れ）すると共に、車両側面視で車両前方に傾斜（前倒れ）しているので、ドア開放時におけるドア自由端（自由端下部１０Ｂ参照）の上昇量（リフト量）を確保して、縁石との干渉を防止することができる。  
しかも、上記ドア１０の開放時に当該ドア１０の自由端の軌跡（回動軌跡α）が最大開放位置（全開位置αＯ）の前位置にて略水平乃至開方向に下降するので、ドア１０を開放操作する際の操作力が小さくなり、これにより上記バランサ（トーションバー３０参照）の簡素化を図ることができる。
【００７０】
ここで、上記ヒンジ軸Ｈの内倒れ構造は、特に、ドア開放時におけるドア自由端の上昇量（リフト量）確保に寄与し、上記ヒンジ軸Ｈの前倒れ構造は、特に、ドア自由端の軌跡が最大開放位置の前位置にて略水平乃至開方向に下降することに寄与する。
【００７１】
この発明の一実施形態においては、車両正面視における上記ヒンジ軸Ｈの車幅方向内方への内倒れ角度θ１が５°〜１５°の範囲内とされ、車両側面視における上記ヒンジ軸Ｈの車両前方への前倒れ角度θ２が５°〜１５°の範囲内とされたものである（図２，図３参照）。
【００７２】
この構成によれば、ドア開放時におけるドア自由端の上昇と、ドア１０の開放操作性とを高次元でバランスさせることができる。  
因に、内倒れ角度θ１が５°未満の場合には、ドア開放時におけるドア自由端の充分な上昇量（リフト量）が確保できない。逆に、内倒れ角度θ１が１５度を超過する場合には、ドア開放操作力が重くなり過ぎて、バランサ（トーションバー３０）が大型化するだけでなく、車室が狭くなる等の車体構造に悪影響を及ぼすものである。
【００７３】
一方で、前倒れ角度θ２が５°未満の場合には、最大開放位置（全開位置αＯ）を充分に水平方向まで確保することが不可となる。逆に、前倒れ角度θ２が１５度を超過する場合には、ドア回動スペースをフロントフェンダ側に設ける必要が生じ、スワンヒンジのように車体を避けるヒンジ構造が必要となり車体構造に悪影響を及ぼすのみならず、ドア開放時にその自由端が上昇することなく下降し始めることになる。  
このため、本実施形態では、内倒れ角度θ１および前倒れ角度θ２を上記範囲内として上述の諸種の問題点を回避し、ドア開放時におけるドア自由端の上昇と、ドア１０の開放操作性とを高次元でバランスさせたものである。
【００７４】
この発明の一実施形態においては、上記バランサはトーションバー３０で形成され、該トーションバー３０は、上記ドア１０の自由端の軌跡（回動軌跡α）における上死点（ＴＤＣ）で、捩り付勢力が作用しない中立位置となるよう構成されたものである（図２，図３参照）。
【００７５】
この構成によれば、ドア１０の最大開放位置（全開位置αＯ）からの引込み（ドア閉成操作）時にも、トーションバー３０の捩り付勢力で補助（アシスト）することができる。
【００７６】
この発明の構成と、上述の実施例との対応において、
この発明のバランサは、実施例のトーションバー３０に対応し、
以下同様に、
ドア自由端の軌跡は、回動軌跡αに対応し、
最大開放位置は、全開位置αＯに対応するも、
この発明は、上述の実施例の構成のみに限定されるものではない。
【産業上の利用可能性】
【００７７】
以上説明したように、本発明は、ドアの開放時に該ドアの自由端を斜め上方へ回動すべくドアヒンジが傾斜配置されると共に、ドア開閉操作を補助する付勢式のバランサが設けられた自動車のドア支持構造について有用である。
【符号の説明】
【００７８】
１０…ドア
２０…ドアヒンジ
３０…トーションバー（バランサ）
α…回動軌跡（ドア自由端の軌跡）
αＯ…全開位置（最大開放位置）
Ｈ…ヒンジ軸
ＴＤＣ…上死点
θ１…内倒れ角度
θ２…前倒れ角度
【図１】
0006347266.tif 000002
【図２】
0006347266.tif 000003
【図３】
0006347266.tif 000004
【図４】
0006347266.tif 000005
【図５】
0006347266.tif 000006
【図６】
0006347266.tif 000007
【図７】
0006347266.tif 000008
【図８】
0006347266.tif 000009
【図９】
0006347266.tif 000010
【図１０】
0006347266.tif 000011
【図１１】
0006347266.tif 000012
【図１２】
0006347266.tif 000013
【図１３】
0006347266.tif 000014